【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
ゲート配線と、
前記ゲート配線と交差するデータ配線と、
前記ゲート配線及び前記データ配線と電気的に接続される第１スイッチング素子と、
前記第１スイッチング素子と電気的に接続され、開口パターンを有する画素電極と、
前記開口パターンに対応して形成され、凸凹パターンを有する光遮断配線と、を含むアレイ基板。
【請求項２】
前記開口パターン及び前記光遮断配線は、前記ゲート配線の延在方向に対して傾斜を有する方向に形成されることを特徴とする請求項１記載のアレイ基板。
【請求項３】
前記開口パターンの形状は、前記凸凹パターンの形状と同一であることを特徴とする請求項２記載のアレイ基板。
【請求項４】
前記開口パターンの幅は、約３．５μｍ〜約１０μｍであること特徴とする請求項２記載のアレイ基板。
【請求項５】
前記凸凹パターンは、前記光遮断配線の第１エッジ及び前記第１エッジと対向する第２エッジのうち、少なくとも一のエッジに形成されることを特徴とする請求項２記載のアレイ基板。
【請求項６】
前記凸凹パターンは、前記光遮断配線の第１エッジ及び前記第１エッジと対向する第２エッジのうち、少なくとも一のエッジから外側に突出する凸形状を有する単位パターンを含むことを特徴とする請求項５記載のアレイ基板。
【請求項７】
前記凸凹パターンは、前記光遮断配線の第１エッジ及び前記第１エッジと対向する第２エッジのうち、少なくとも一のエッジの内側に向かってくぼんだ凹形状を有する単位パターンを含むことを特徴とする請求項５記載のアレイ基板。
【請求項８】
前記凸凹パターンは、互いに交差する第１傾斜部及び第２傾斜部を有する単位パターンを含み、
前記第１傾斜部及び第２傾斜部が交差する部分は、角を有する形状又は曲率を有する形状に形成されることを特徴とする請求項５記載のアレイ基板。
【請求項９】
前記第１傾斜部及び第２傾斜部がなす角度は６０°〜１２０°であることを特徴とする請求項８記載のアレイ基板。
【請求項１０】
第１傾斜部及び第２傾斜部の長さは各々５μｍ〜１０μｍであることを特徴とする請求項８記載のアレイ基板。
【手続補正２】
【補正対象書類名】明細書
【補正対象項目名】００１２
【補正方法】変更
【補正の内容】
【００１２】
発明５は、発明２に対して、前記凸凹パターンは、前記光遮断配線の第１エッジ及び前記第１エッジと向い合う第２エッジのうち、少なくともある１つに形成されることができる。
発明６は、発明５に対して、前記凸凹パターンは、前記光遮断配線の第１エッジ及び前記第１エッジと対向する第２エッジのうち、少なくとも一のエッジから外側に突出する凸形状を有する単位パターンを含む。
発明７は、発明５に対して、前記凸凹パターンは、前記光遮断配線の第１エッジ及び前記第１エッジと対向する第２エッジのうち、少なくとも一のエッジの内側に向かってくぼんだ凹形状を有する単位パターンを含む。
発明８は、発明５に対して、前記凸凹パターンは、互いに交差する第１傾斜部及び第２傾斜部を有する単位パターンを含み、前記第１傾斜部及び第２傾斜部が交差する部分は、角を有する形状又は曲率を有する形状に形成される。
発明９は、発明８に対して、前記第１傾斜部及び第２傾斜部がなす角度は６０°〜１２０°である。
発明１０は、発明８に対して、第１傾斜部及び第２傾斜部の長さは各々５μｍ〜１０μｍである。
光遮断配線上の凸凹パターン以外の前記光遮断配線の直線部の幅は２μｍ〜４．０μｍである。
【手続補正３】
【補正対象書類名】明細書
【補正対象項目名】００１３
【補正方法】変更
【補正の内容】
【００１３】
前記アレイ基板は、ストレージ配線をさらに含むことができる。前記ストレージ配線は、前記画素電極と重なる前記画素領域に形成され、前記光遮断配線とつながることができる。
前記画素電極は、前記開口パターンによって離隔される第１サブ電極及び第２サブ電極を含み、前記第１サブ電極は、前記第２サブ電極の外側を取り囲むように形成される。
前記光遮断配線のエッジは、前記第１サブ電極及び前記第２サブ電極のうち、少なくともある１つのエッジと相接する。
前記光遮断配線は、前記第１サブ電極及び前記第２サブ電極のうち、少なくともある１つと重なる重なり部をさらに含み、前記重なり部は、補助ストレージコンデンサー用の電極であることを特徴とする。
前記第１スイッチング素子は、前記ゲート配線と重なり、前記データ配線と接続されるデュアルソース電極と、前記デュアルソース電極と離隔され、前記第１サブ電極と接続される第１ドレイン電極と、前記デュアルソース電極と離隔され、前記第２サブ電極と接続される第２ドレイン電極と、を含む。
前記第１サブ電極と接続されるソース電極及び前記第１サブ電極と重なる第３ドレイン電極を有する第２スイッチング素子をさらに含む。
【手続補正４】
【補正対象書類名】明細書
【補正対象項目名】００１４
【補正方法】変更
【補正の内容】
【００１４】
また、アレイ基板は、前記第１及び第２ゲート配線と交差するデータ配線、前記ベース基板の画素領域に形成され、第１サブ電極と前記第１及び第２ゲート配線に対して斜線方向に形成される開口パターンによって前記第１サブ電極と離隔される第２サブ電極を含む画素電極、前記第１及び第２サブ電極と重なり、前記ゲート配線及び前記データ配線と平行するように前記画素領域に形成されるストレージ配線、前記開口パターンが形成される領域に形成されて前記ストレージ配線とつながり、凸凹パターンを含む光遮断配線、前記第１ゲート配線及び前記データ配線とつながり、前記第１サブ電極とコンタクトする第１ドレイン電極及び前記第２サブ電極とコンタクトする第２ドレイン電極を含むデュアルスイッチング素子及び前記第２ゲート配線及びデータ配線とつながり、前記第２サブ電極とコンタクトするソース電極及び前記第１サブ電極と重なる第３ドレイン電極を含むスイッチング素子を含む。
【手続補正５】
【補正対象書類名】明細書
【補正対象項目名】００１５
【補正方法】変更
【補正の内容】
【００１５】
また、前述の本発明の他の目的を具現するための表示パネルは、アレイ基板及び対向基板を含む。
【手続補正６】
【補正対象書類名】明細書
【補正対象項目名】００１６
【補正方法】変更
【補正の内容】
【００１６】
前記アレイ基板は、ベース基板上に形成されるゲート配線及びデータ配線とつながるスイッチング素子、前記スイッチング素子と電気的につながり、前記ゲート配線に対して斜線方向に第１開口パターンが形成される画素電極及び前記第１開口パターンが形成される領域に形成されて互いに交差する第１傾斜部及び第２傾斜部を有する凸凹パターンを有する光遮断配線を含む。
【手続補正７】
【補正対象書類名】明細書
【補正対象項目名】００１７
【補正方法】変更
【補正の内容】
【００１７】
前記対向基板は、前記アレイ基板と対向し、前記第１開口パターンとともに液晶ドメインを形成する第２開口パターンが含む共通電極に形成される。
【手続補正８】
【補正対象書類名】明細書
【補正対象項目名】００１８
【補正方法】変更
【補正の内容】
【００１８】
前記第１傾斜部及び第２傾斜部がなす角度は６０°〜１２０°であることができる。
【手続補正９】
【補正対象書類名】明細書
【補正対象項目名】００１９
【補正方法】変更
【補正の内容】
【００１９】
前記表示パネルは、前記アレイ基板に付着され、第１偏光軸を含む第１偏光板、及び前記対向基板に付着され、前記第１偏光軸と垂直する第２偏光軸を含む第２偏光板をさらに含むことができる。前記第１傾斜部は、前記第１偏光軸と０°〜４５°をなし、前記第２傾斜部は、前記第２偏光軸と０°〜４５°をなすことができる。